(57)【要約】【課題】廃棄時に容易に減容化してゴミ容量を削減できる紙容器を提供する。【解決手段】断面多角形の筒状の胴部４と、胴部４の上面を塞ぐ天面部３と、胴部４の下面を塞ぐ底面部５とを有し、胴部４の対向する二面の水平方向の中央部にそれぞれ形成された縦方向に延びる第１縦折罫１１ａ及び第２縦折罫１１ｃと、第１縦折罫１１ａの上端部と第２縦折罫１１ｃの上端部とを連結する水平な上部折罫１２と、第１縦折罫１１ａの下端部と第２縦折罫１１ｃの下端部とを連結する水平な下部折罫１３と、上部折罫１２と下部折罫１３との間に配されて胴部４の全周に形成された水平な中間折罫１４とを備えた。【選択図】図１
2015205725.tif 000002
【特許請求の範囲】
【請求項１】
ブランク板を所定の箱形状に折曲して内容物を収納する紙容器において、断面多角形の筒状の胴部と、前記胴部の上面を塞ぐ天面部と、前記胴部の下面を塞ぐ底面部とを有し、前記胴部の対向する二面の水平方向の中央部にそれぞれ形成された縦方向に延びる第１縦折罫及び第２縦折罫と、第１縦折罫の上端部と第２縦折罫の上端部とを連結する水平な上部折罫と、第１縦折罫の下端部と第２縦折罫の下端部とを連結する水平な下部折罫と、前記上部折罫と前記下部折罫との間に配されて前記胴部の全周に形成された水平な中間折罫とを備えたことを特徴とする紙容器。
【請求項２】
前記中間折罫が下方に偏って配置され、前記中間折罫から前記胴部の下端までの距離が、前記中間折罫から前記上部折罫までの距離よりも小さく、前記中間折罫から前記上部折罫までの距離と前記上部折罫から前記胴部の上端までの距離との差よりも大きいことを特徴とする請求項１に記載の紙容器。
【請求項３】
前記中間折罫が上方に偏って配置され、前記中間折罫から前記胴部の上端までの距離が、前記中間折罫から前記下部折罫までの距離よりも小さく、前記中間折罫から前記下部折罫までの距離と前記下部折罫から前記胴部の下端までの距離との差よりも大きいことを特徴とする請求項１に記載の紙容器。
【請求項４】
前記上部折罫と前記下部折罫とが第１縦折罫の形成面と第２縦折罫の形成面との間に配される同一面上を通って形成されることを特徴とする請求項２または請求項３に記載の紙容器。
【請求項５】
第１縦折罫の形成面の上縁の両側端と第１縦折罫の上端部とを連結する一対の傾斜した第１上部傾斜折罫と、第１縦折罫の形成面の下縁の両側端と第１縦折罫の下端部とを連結する一対の傾斜した第１下部傾斜折罫と、第２縦折罫の形成面の上縁の両側端と第２縦折罫の上端部とを連結する一対の第２上部傾斜折罫と、第２縦折罫の形成面の下縁の両側端と第２縦折罫の下端部とを連結する一対の傾斜した第２下部傾斜折罫とを備えたことを特徴とする請求項１〜請求項４のいずれかに記載の紙容器。
【請求項６】
前記天面部に上端で接着される一対の傾斜面を設けたゲーベルトップ型に形成されるとともに、一方の前記傾斜面上に液状の内容物の注出口が設けられ、第１縦折罫または第２縦折罫の形成面が前記注出口を形成した前記傾斜面の下方に隣接することを特徴とする請求項１〜請求項５のいずれかに記載の紙容器。
【発明の詳細な説明】
【技術分野】
【０００１】
本発明は、液状等の内容物を収納する紙容器に関する。
【背景技術】
【０００２】
液状等の内容物を収納する従来の紙容器は特許文献１に開示されている。この紙容器はゲーベルトップ型に形成され、直方体形状の胴部と、胴部の上面を塞ぐ屋根形状の天面部と、胴部の下面を塞ぐ底面部とを備えて内容物を収納する。
【０００３】
上記構成の紙容器は内容物を取り出した後、天面部及び底面部を胴部に対してハサミ等で切り離して胴部を開き、減容して廃棄される。
【先行技術文献】
【特許文献】
【０００４】
【特許文献１】実開平０３−４５２２号
【発明の概要】
【発明が解決しようとする課題】
【０００５】
しかしながら、上記従来の紙容器によると、天面部及び底面部を切り離す作業が煩しく、内容物を取り出した後に折り畳まれずに廃棄される頻度が高く、ゴミ容量が大きくなる問題があった。
【０００６】
本発明は廃棄時に容易に減容化してゴミ容量を削減できる紙容器を提供することを目的とする。
【課題を解決するための手段】
【０００７】
上記目的を達成するために本発明は、ブランク板を所定の箱形状に折曲して内容物を収納する紙容器において、断面多角形の筒状の胴部と、前記胴部の上面を塞ぐ天面部と、前記胴部の下面を塞ぐ底面部とを有し、前記胴部の対向する二面の水平方向の中央部にそれぞれ形成された縦方向に延びる第１縦折罫及び第２縦折罫と、第１縦折罫の上端部と第２縦折罫の上端部とを連結する水平な上部折罫と、第１縦折罫の下端部と第２縦折罫の下端部とを連結する水平な下部折罫と、前記上部折罫と前記下部折罫との間に配されて前記胴部の全周に形成された水平な中間折罫とを備えたことを特徴としている。
【０００８】
この構成によると、胴部を第１縦折罫及び第２縦折罫で折り畳んだ後に、上部折罫により天面部を胴部上に重ねて下部折罫により底面部を胴部上に重ね、中間折罫で胴部を容易に折り畳むことができる。
【０００９】
また本発明は、上記構成の紙容器において、前記中間折罫が下方に偏って配置され、前記中間折罫から前記胴部の下端までの距離が、前記中間折罫から前記上部折罫までの距離よりも小さく、前記中間折罫から前記上部折罫までの距離と前記上部折罫から前記胴部の上端までの距離との差よりも大きいことを特徴としている。この構成によると、中間折罫で胴部を折り畳んだ際に、底面部が天面部と胴部との間に挿入される。
【００１０】
また本発明は、上記構成の紙容器において、前記中間折罫が上方に偏って配置され、前記中間折罫から前記胴部の上端までの距離が、前記中間折罫から前記下部折罫までの距離よりも小さく、前記中間折罫から前記下部折罫までの距離と前記下部折罫から前記胴部の下端までの距離との差よりも大きいことを特徴としている。この構成によると、中間折罫で胴部を折り畳んだ際に、天面部が底面部と胴部との間に挿入される。
【００１１】
また本発明は、上記構成の紙容器において、前記上部折罫と前記下部折罫とが第１縦折罫の形成面と第２縦折罫の形成面との間に配される同一面上を通って形成されることを特徴としている。この構成によると、例えば、下部折罫を内側にして胴部に重ねて天面部と胴部との間に挿入される底面部が天面部に押さえられるので下部折罫の折り戻しが防止され、底面部の抜けが防止される。
【００１２】
また本発明は、上記構成の紙容器において、第１縦折罫の形成面の上縁の両側端と第１縦折罫の上端部とを連結する一対の傾斜した第１上部傾斜折罫と、第１縦折罫の形成面の下縁の両側端と第１縦折罫の下端部とを連結する一対の傾斜した第１下部傾斜折罫と、第２縦折罫の形成面の上縁の両側端と第２縦折罫の上端部とを連結する一対の第２上部傾斜折罫と、第２縦折罫の形成面の下縁の両側端と第２縦折罫の下端部とを連結する一対の傾斜した第２下部傾斜折罫とを備えたことを特徴としている。この構成によると、天面部及び底面部を容易に胴部上に重ねられる。
【００１３】
また本発明は、上記構成の紙容器において、前記天面部に上端で接着される一対の傾斜面を設けたゲーベルトップ型に形成されるとともに、一方の前記傾斜面上に液状の内容物の注出口が設けられ、第１縦折罫または第２縦折罫の形成面が前記注出口を形成した前記傾斜面の下方に隣接することを特徴としている。この構成によると、液状の内容物を第１縦折罫または第２縦折罫により注出口に導き、残量を減少することができる。
【発明の効果】
【００１４】
本発明によると、胴部を第１縦折罫及び第２縦折罫で扁平に折り畳んだ後に、上部折罫により天面部を胴部上に重ねて下部折罫により底面部を胴部上に重ね、中間折罫で胴部を上下方向に折り畳むことができる。従って、紙容器を廃棄時に容易に減容化してゴミ容量を削減することができる。
【図面の簡単な説明】
【００１５】
【図１】本発明の第１実施形態の紙容器を示す斜視図
【図２】本発明の第１実施形態の紙容器を示す展開図
【図３】本発明の第１実施形態のブランク板の断面図
【図４】本発明の第１実施形態の紙容器を折り畳む動作を示す斜視図
【図５】本発明の第１実施形態の紙容器を折り畳む動作を示す斜視図
【図６】本発明の第２実施形態の紙容器を背面側から視た斜視図
【図７】本発明の第２実施形態の紙容器を示す展開図
【図８】本発明の第３実施形態の紙容器を示す展開図
【図９】本発明の第４実施形態の紙容器を示す斜視図
【図１０】本発明の第４実施形態の紙容器を示す展開図
【発明を実施するための形態】
【００１６】
［第１実施形態］
以下に本発明の実施形態を図面を参照して説明する。図１は第１実施形態の紙容器１を示す斜視図である。紙容器１はブランク板１０（図２参照）をゲーベルトップ型の箱形状に折曲して形成され、直方体形状の胴部４と、胴部４の上面を塞ぐ天面部３と、胴部４の下面を塞ぐ底面部５とを備えて内容物を収納する。天面部３は対向する上面板３ｂ、３ｄの上端を接着した一対の傾斜面を有している。一方の傾斜面を形成する上面板３ｂには貫通孔７（図２参照）が開口し、樹脂成形品の注出部材２が貫通孔７に溶着される。注出部材２によって内容物の注出口を形成するとともに、注出口を開閉することができる。
【００１７】
胴部４は対向する正面板４ｂ及び背面板４ｃの両側端を側面板４ａ及び側面板４ｄによって連結した水平断面が矩形に形成される。注出口を設けた上面板３ｂの下方に正面板４ｂが隣接する。また、胴部４には紙容器１を容易に折り畳んで減容化するために後述する第１縦折罫１１ａ、第１上部傾斜折罫１５ａ、第１下部傾斜折罫１６ａ、第２縦折罫１１ｃ、第２上部傾斜折罫１５ｃ（図２参照）、第２下部傾斜折罫１６ｃ（図２参照）、上部折罫１２、下部折罫１３、中間折罫１４が設けられている。
【００１８】
図２は紙容器１のブランク板１０の展開図を示している。紙容器１を展開したブランク板１０は所定位置に折り目Ｄが設けられ、矩形の側面板４ａ、正面板４ｂ、側面板４ｃ、背面板４ｄが折り目Ｄを介して順に連設されている。側面板４ａ、正面板４ｂ、側面板４ｃ、背面板４ｄの上端にはそれぞれ天面部３を形成する上面板３ａ〜３ｄが連設されている。上面板３ｂには注出部材２（図１参照）を取り付ける貫通孔７が設けられている。
【００１９】
側面板４ａ、正面板４ｂ、側面板４ｃ、背面板４ｄの下端にはそれぞれ紙容器１の底面部５を形成する底面板５ａ〜５ｄが連設されている。また、上面板３ａ、側面板４ａ及び底面板５ａの側方には糊代６が設けられている。これにより、ブランク板１０は折り目Ｄで折曲して糊代６で接着することにより筒状に形成される。そして、上面板３ａ〜３ｄを折り目Ｄで折曲して接着し、底面板５ａ〜５ｄを折り目Ｄで折曲して接着することにより、箱状の紙容器１が形成される。
【００２０】
側面板４ａには第１縦折罫１１ａ、第１上部傾斜折罫１５ａ及び第１下部傾斜折罫１６ａが設けられている。第１縦折罫１１ａは側面板４ａの水平方向の中央部に縦方向に延びて設けられる。第１上部傾斜折罫１５ａ、第１下部傾斜折罫１６ａは夫々一対の傾斜した折罫であり、第１上部傾斜折罫１５ａは第１縦折罫１１ａの形成面（側面板４ａ）の上縁の両側端と第１縦折罫１１ａの上端とを連結する。第１下部傾斜折罫１６ａは第１縦折罫１１ａの形成面（側面板４ａ）の下縁の両側端と第１縦折罫１１ａの下端とを連結する。
【００２１】
側面板４ａに対向する側面板４ｃには第２縦折罫１１ｃ、第２上部傾斜折罫１５ｃ及び第２下部傾斜折罫１６ｃが設けられている。第２縦折罫１１ｃは側面板４ｃの水平方向の中央部に縦方向に延びて設けられる。第２上部傾斜折罫１５ｃ、第２下部傾斜折罫１６ｃは夫々一対の傾斜した折罫であり、第２上部傾斜折罫１５ｃは第２縦折罫１１ｃの形成面（側面板４ｃ）の上縁の両側端と第２縦折罫１１ｃの上端とを連結する。第２下部傾斜折罫１６ｃは第２縦折罫１１ｃの形成面（側面板４ｃ）の下縁の両側端と第２縦折罫１１ｃの下端とを連結する。
【００２２】
第１縦折罫１１ａ、第１上部傾斜折罫１５ａ、第１下部傾斜折罫１６ａは側面板４ａを外側に折るための折り目となる。第２縦折罫１１ｃ、第２上部傾斜折罫１５ｃ、第２下部傾斜折罫１６ｃは側面板４ｃを外側に折るための折り目となる。
【００２３】
また、第１縦折罫１１ａの上端と第２縦折罫１１ｄの上端とは正面板３ｂを通る水平な上部折罫１２で連結されている。また、第１縦折罫１１ａの下端と第２縦折罫１１ｄの下端とは正面板３ｂを通る水平な下部折罫１３で連結されている。上部折罫１２は側面板４ａ、４ｃを外側に折った際に天面部３を正面板３ｂ側に折るための折り目となり、下部折罫１３は側面板４ａ、４ｃを外側に折った際に底面部５を正面板３ｂ側に折るための折り目となる。
【００２４】
上部折罫１２と下部折罫１３との間には胴部４の全周に形成された水平な中間折罫１４が設けられている。中間折罫１４は側面板４ａ、４ｃを外側に折った状態で胴部４を内側に折り畳むための折り目となる。
【００２５】
なお、中間折罫１４は紙容器１の下方に偏って配置され、中間折罫１４から胴部４の下端までの距離ｈ１が、中間折罫１４から上部折罫１２までの距離ｈ２よりも小さい。また、中間折罫１４から胴部４の下端までの距離ｈ１が、中間折罫１４から上部折罫１２までの距離ｈ２と上部折罫１２から胴部４の上端までの距離ｈ３との差よりも大きい。
【００２６】
図３はブランク板１０の断面図を示している。ブランク板１０は外面から順に外装材１２０、紙基材層１１０、内装材１３０を積層して形成される。紙基材層１１０は例えば２００〜４８０ｇ／ｍ２の坪量であり、オフセット印刷が施されるコート層（不図示）が一面に設けられる。
【００２７】
外装材１２０は押出しラミネート等によって紙基材層１１０に貼り合わせられるポリエチレンフィルム等により形成される。
【００２８】
内装材１３０は紙基材層１１０側から順にフィルム基材層１３１、ガスバリア層１３２、熱接着層１３３を有している。フィルム基材層１３１として保香性及び保味性の高いポリエチレンテレフタレートフィルム等が用いられる。ガスバリア層１３２はフィルム基材層１３１上にアルミニウムやＳｉＯ２を蒸着して形成され、酸素や水蒸気の進入を防止する。なお、ガスバリア層１３２をアルミニウム箔等により形成してもよい。
【００２９】
熱接着層１３３はポリエチレン等により形成され、フィルム基材層１３１のガスバリア層１３２上にドライラミネート剤を介して接着される。熱接着層１３３と外装材１２０との熱溶着によって紙容器１が組立てられる。
【００３０】
次に、内容物を取り出した後の紙容器１の折り畳み方法について説明する。図４、図５は紙容器１を折り畳む動作を示す斜視図である。まず図４に示すように、内容物を取り出した紙容器１は側面板４ａを第１縦折罫１１ａ、第１上部傾斜折罫１５ａ及び第１下部傾斜折罫１６ａに沿って山折りする。また、側面板４ｃを第２縦折罫１１ｃ、第２上部傾斜折罫１５ｃ及び第２下部傾斜折罫１６ｃに沿って山折りする。
【００３１】
このとき、第１縦折罫１１ａ及び第２縦折罫１１ｃの折曲により扁平状の胴部４の一面を上部折罫１２及び下部折罫１３に沿って内側に谷折りする。これにより、天面部３及び底面部５が胴部４上に重ねられ、紙容器１が扁平に押し潰される。
【００３２】
次に、図５に示すように、扁平な胴部４を矢印Ａに示すように中間折罫１４に沿って折り畳む。このとき、中間折罫１４から胴部４の下端までの距離ｈ１が、中間折罫１４から上部折罫１２までの距離ｈ２よりも小さい。また、距離ｈ１が距離ｈ２と上部折罫１２から胴部４の上端までの距離ｈ３との差よりも大きい（図２参照）。このため、胴部４上に重ねられた天面部３と胴部４との間に底面部５を挿入することができる。これにより、底面部５が天面部３により押さえられ、中間折罫１４の折り戻しを防止して紙容器１の折り畳んだ状態を保持することができる。
【００３３】
本実施形態によると、胴部４の対向する側面板４ａ、４ｃがそれぞれ第１縦折罫１１ａ及び第２縦折罫１１ｃを有し、第１、第２縦折罫１１ａ、１１ｃの上端及び下端を連結する水平な上部折罫１２及び下部折罫１３が設けられる。また、上部折罫１２と下部折罫１３との間に水平な中間折罫１４が設けられる。
【００３４】
これにより、胴部４を第１縦折罫１１ａ及び第２縦折罫１１ｃで扁平に折り畳んだ後に上部折罫１２及び下部折罫１３により天面部３及び底面部５を胴部４上に重ね、中間折罫１４で胴部４を容易に折り畳むことができる。従って、紙容器１を廃棄時に容易に減容化してゴミ容量を削減することができる。
【００３５】
なお、第１縦折罫１１ａ及び第２縦折罫１１ｃが上部折罫１２よりも上方に突出してもよく、下部折罫１３よりも下方に突出してもよい。即ち、上部折罫１２が第１縦折罫１１ａ及び第２縦折罫１１ｃの上端部を連結し、下部折罫１３が第１縦折罫１１ａ及び第２縦折罫１１ｃの下端部を連結してもよい。
【００３６】
また、中間折罫１４が下方に偏って配置され、中間折罫１４から胴部４の下端までの距離ｈ１が、中間折罫１４から上部折罫１２までの距離ｈ２よりも小さく、中間折罫１４から上部折罫１２までの距離ｈ２と上部折罫１２から胴部４の上端までの距離ｈ３との差よりも大きい。これにより、中間折罫１４で胴部４を折り畳んだ際に、底面部５が胴部４と天面部３との間に挿入される。従って、胴部４の弾性による中間折罫１４の折り戻しが防止され、紙容器１の折り畳んだ状態を保持することができる。
【００３７】
また、上部折罫１２及び下部折罫１３は第１、第２縦折罫１１ａ、１１ｃの形成面の側面板４ａ、４ｃ間に配した正面板４ｂ上を通って形成される。この時、上部折罫１２及び下部折罫１３の一方が正面板４ｂ上を通り、他方が背面板４ｄ上を通るように形成してもよい。しかし、この構成によると、胴部４の弾性が強い場合に、天面部３と胴部４との間に配された底面部５が下部折罫１３及び中間折罫１４の折り戻しにより、天面部３と胴部４との間から脱落する可能性がある。
【００３８】
このため、本実施形態のように、上部折罫１２及び下部折罫１３を同一面である正面板４ｂを通るように形成するとより望ましい。これにより、天面部３と胴部４との間に配された底面部５の脱落をより確実に防止し、紙容器１の折り畳んだ状態を保持することができる。
【００３９】
また、第１縦折罫１１ａの形成面の側面板４ａには一対の傾斜した第１上部傾斜折罫１５ａ及び一対の傾斜した第１下部傾斜折罫１６ａが設けられる。第２縦折罫１１ｃの形成面の側面板４ｃには一対の傾斜した第２上部傾斜折罫１５ｃ及び一対の傾斜した第２下部傾斜折罫１６ｃが設けられる。
【００４０】
このとき、第１上部傾斜折罫１５ａは側面板４ａの上縁の両側端と第１縦折罫１１ａの上端とを連結する。第１下部傾斜折罫１６ａは側面板４ａの下縁の両側端と第１縦折罫１１ａの下端とを連結する。第２上部傾斜折罫１５ｃは側面板４ｃの上縁の両側端と第２縦折罫１１ｃの上端とを連結する。第２下部傾斜折罫１６ｃは側面板４ｃの下縁の両側端と第２縦折罫１１ｃの下端とを連結する。
【００４１】
これにより、胴部４を第１上部傾斜折罫１５ａ、第２上部傾斜折罫１５ｃ、第１下部傾斜折罫１６ａ及び第２下部傾斜折罫１６ｃで折曲して天面部３及び底面部５を容易に胴部４上に重ねることができる。
【００４２】
尚、第１縦折罫１１ａの上端部に第１上部傾斜折罫１５ａを連結してもよく、下端部に第１下部傾斜折罫１６ａを連結してもよい。第２縦折罫１１ｃの上端部に第２上部傾斜折罫１５ｃを連結してもよく、下端部に第２下部傾斜折罫１６ｃを連結してもよい。
【００４３】
また、第１縦折罫１１ａ及び第２縦折罫１１ｃの上下端を起点に胴部４を斜めに容易に折曲できる場合には、第１上部傾斜折罫１５ａ、第２上部傾斜折罫１５ｃ、第１下部傾斜折罫１６ａ及び第２下部傾斜折罫１６ｃを省いてもよい。
【００４４】
［第２実施形態］
図６は第２実施形態の紙容器１を背面側から視た斜視図であり、図７は第２実施形態に係る紙容器１のブランク板１０を示す展開図である。説明の便宜上、前述の図１〜図５に示す第１実施形態と同一の部分は同一の符号を付している。本実施形態は上部折罫１２が背面板４ｄを通って第１縦折罫１１ａの上端と第２縦折罫１１ｄの上端とを連結している。また、下部折罫１３が背面板４ｄを通って第１縦折罫１１ａの下端と第２縦折罫１１ｄの下端とを連結している。尚、天面部３の正面側には注入部材２（図１参照）が設けられている。これにより、胴部４を第１縦折罫１１ａ及び第２縦折罫１１ｃで扁平に折り畳んだ後に上部折罫１２及び下部折罫１３により天面部３及び底面部５が背面板４ｄ上に重ねられる。そして、中間折罫１４で背面板４ｄを内側にして胴部４を折り畳み、底面部５を天面部３と背面板４ｄとの間に挿入する。これにより、第１実施形態と同様に紙容器１を廃棄時に容易に減容化してゴミ容量を削減することができる。
【００４５】
［第３実施形態］
図８は第３実施形態に係る紙容器１のブランク板１０を示す展開図である。説明の便宜上、前述の図１〜図５に示す第１実施形態と同一の部分は同一の符号を付している。本実施形態は中間折罫１４が上方に偏って配置され、中間折罫１４から胴部４の上端までの距離ｈ４が、中間折罫１４から下部折罫１３までの距離ｈ５よりも小さい。また、中間折罫１４から胴部４の上端までの距離ｈ４は中間折罫１４から下部折罫１３までの距離ｈ５と下部折罫１３から胴部４の下端までの距離ｈ６との差よりも大きい。ブランク板１０の構成を含むその他の部分は第１実施形態と同様である。
【００４６】
この構成によると、中間折罫１４に沿って胴部４を折り畳んだ際に、胴部４上に重ねられた底面部５と胴部４との間に天面部３を挿入することができる。これにより、天面部３が底面部５により押さえられ、中間折罫１４の折り戻しを防止して紙容器１の折り畳んだ状態を保持することができる。
【００４７】
なお、本実施形態も上部折罫１２及び下部折罫１３を同一面である正面板４ｂを通るように形成するとより望ましい。これにより、底面部５と胴部４との間に配された天面部３の脱落をより確実に防止し、紙容器１の折り畳んだ状態を保持することができる。
【００４８】
なお、第１〜第３実施形態において、天面部３の傾斜面を形成する上面板３ｂ上に内容物の注出口を設けているが、注出口を省いて天面部３の熱溶着を引き剥がして内容物を注出する紙容器１であってもよい。
【００４９】
［第４実施形態］
図９は第４実施形態の紙容器１を示す斜視図であり、図１０は第４実施形態に係る紙容器１のブランク板１０を示す展開図である。説明の便宜上、前述の図１〜図５に示す第１実施形態と同一の部分は同一の符号を付している。本実施形態は注出口（貫通孔７）が設けられる上面板３ｂの下方に隣接する正面板４ｂに第１縦折罫１１ｂ、第１上部傾斜折罫１５ｂ、第１下部傾斜折罫１６ｂが設けられている。また、正面板４ｂに対向する背面板４ｄに第２縦折罫１１ｄ、第２上部傾斜折罫１５ｄ、第２下部傾斜折罫１６ｄが設けられている。
【００５０】
正面板４ｂ、背面板４ｄに設けられた第１縦折罫１１ｂ、第２縦折罫１１ｄは正面板４ｂ、背面板４ｄの水平方向の中央部に夫々縦方向に延びて設けられる。
【００５１】
また、第１上部傾斜折罫１５ｂ、第１下部傾斜折罫１６ｂは夫々一対の傾斜した折罫であり、第１上部傾斜折罫１５ｂは第１縦折罫１１ｂの形成面（正面板４ｂ）の上縁の両側端と第１縦折罫１１ｂの上端とを連結する。第１下部傾斜折罫１６ｂは第１縦折罫１１ｂの形成面（正面板４ｂ）の下縁の両側端と第１縦折罫１１ｂの下端とを連結する。
【００５２】
また、第２上部傾斜折罫１５ｄ、第２下部傾斜折罫１６ｄは夫々一対の傾斜した折罫であり、第２上部傾斜折罫１５ｄは第２縦折罫１１ｄの形成面（背面板４ｄ）の上縁の両側端と第２縦折罫１１ｄの上端とを連結する。第２下部傾斜折罫１６ｄは第２縦折罫１１ｄの形成面（背面板４ｄ）の下縁の両側端と第２縦折罫１１ｄの下端とを連結する。
【００５３】
また、上部折罫１２が側面板４ｃを通って第１縦折罫１１ｂの上端と第２縦折罫１１ｄの上端とを連結している。また、下部折罫１３が側面板４ｃを通って第１縦折罫１１ｂの下端と第２縦折罫１１ｄの下端とを連結している。
【００５４】
なお、上部折罫１２が側面板４ｃを通って第１縦折罫１１ｂの上端部と第２縦折罫１１ｄの上端部とを連結してもよい。また、下部折罫１３が側面板４ｃを通って第１縦折罫１１ｂの下端部と第２縦折罫１１ｄの下端部とを連結してもよい。
【００５５】
上記構成の紙容器１において、注出口から内容物を注出する際に側面板４ａ、４ｃを把持して正面板４ｂを第１縦折罫１１ｂに沿って山折りにすると、第１縦折罫１１ｂが谷となって正面板４ｂに注出口（貫通孔７）に内容物を導くことができる。これにより、内容物の残量を効率よく減少させることができる。
【００５６】
内容物を取り出した紙容器１は、上部折罫１２及び下部折罫１３により天面部３及び底面部５を側面板４ｃ上に重ね、中間折罫１４で胴部４を容易に折り畳むことができる。従って、紙容器１を廃棄時に容易に減容化してゴミ容量を削減することができる。
【００５７】
なお、本実施形態において上部折罫１２が側面板４ａを通って第１縦折罫１１ｂの上端と第２縦折罫１１ｄの上端とを連結し、下部折罫１３が側面板４ａを通って第１縦折罫１１ｂの下端と第２縦折罫１１ｄの下端とを連結してもよい。
【００５８】
また、第１〜第４実施形態において、紙容器１がゲーベルトップ型に形成されるが、ブリック型でもよい。また、胴部４の水平断面が矩形に形成されるが他の多角形でもよい。
【産業上の利用可能性】
【００５９】
本発明によると、液状物や粘稠物等の内容物を収納する紙容器に利用することができる。
【符号の説明】
【００６０】
１          紙容器
２          注出部材
３          天面部
３ａ〜３ｄ  上面板
４          胴部
４ａ、４ｄ  側面板
４ｂ        正面板
４ｃ        背面板
５          底面部
５ａ〜５ｄ  底面板
６          糊代
７          貫通孔
１０          ブランク板
１１ａ        第１縦折罫
１１ｃ        第２縦折罫
１２          上部折罫
１３          下部折罫
１４          中間折罫
１５ａ        第１上部傾斜折罫
１５ｃ        第２上部傾斜折罫
１６ａ        第１下部傾斜折罫
１６ｃ        第２下部傾斜折罫
１１１        紙基材層
１２０        外装材
１３０        内装材
１３１        フィルム基材層
１３２        ガスバリア層
１３３        熱接着層
【図１】
2015205725.tif 000003
【図２】
2015205725.tif 000004
【図３】
2015205725.tif 000005
【図４】
2015205725.tif 000006
【図５】
2015205725.tif 000007
【図６】
2015205725.tif 000008
【図７】
2015205725.tif 000009
【図８】
2015205725.tif 000010
【図９】
2015205725.tif 000011
【図１０】
2015205725.tif 000012